(57)【要約】【課題】極小ボールを備えたにもかかわらず、ボールの脱落を長期にわたり防止できるとともに筆跡途切れのない十分な筆記性能を有するボールペンチップを得る。【解決手段】金属筒体２の先端近傍の内面にボール受け座３を形成する。前記ボール受け座３の前側に外径０．３ｍｍ未満のボール５を収容する。前記金属筒体２の先細状先端部２１を円周状に内方変形させることによってカシメ部４を形成する。前記ボール受け座３と前記カシメ部４との間でボール５を回転可能に抱持させる。前記カシメ部４の先端より前方にボール５の一部を突出させる。ボール５の外径をＡ、カシメ部４の内径をＨ、ボール５のカシメ部４の先端からの出寸法をＬとしたとき、「０．０１０ｍｍ＜Ａ−Ｈ＜０．０３５ｍｍ」かつ「０．１５＜Ｌ／Ａ＜０．３０」の関係を満足させる。【選択図】  図１
2006076278.tif 000002
【特許請求の範囲】
【請求項１】
金属筒体の先端近傍の内面にボール受け座を形成し、前記ボール受け座の前側に外径０．３ｍｍ未満のボールを収容し、前記金属筒体の先細状先端部を円周状に内方変形させることによってカシメ部を形成し、前記ボール受け座と前記カシメ部との間でボールを回転可能に抱持させるとともに前記カシメ部の先端より前方にボールの一部を突出させてなるボールペンチップであって、
前記ボールの外径をＡ、前記カシメ部の内径をＨ、前記ボールのカシメ部の先端からの出寸法をＬとしたとき、
０．０１０ｍｍ＜Ａ−Ｈ＜０．０３５ｍｍ
かつ  
０．１５＜Ｌ／Ａ＜０．３０
の関係を満足することを特徴とするボールペンチップ。
【請求項２】
前記ボールの外径Ａ、前記カシメ部の内径Ｈ、前記ボールのカシメ部の先端からの出寸法Ｌが、
０．０１０ｍｍ＜Ａ−Ｈ＜０．０３０ｍｍ
かつ  
０．１５＜Ｌ／Ａ＜０．２５
の関係を満足する請求項１記載のボールペンチップ。
【請求項３】
金属筒体の先端近傍の内面にボール受け座を形成し、前記ボール受け座の前側に外径０．３ｍｍ未満のボールを収容し、前記金属筒体の先細状先端部を円周状に内方変形させることによってカシメ部を形成し、前記ボール受け座と前記カシメ部との間でボールを回転可能に抱持させるとともに前記カシメ部の先端より前方にボールの一部を突出させてなるボールペンチップであって、
前記ボールの外径をＡ、前記ボールのカシメ部の先端からの出寸法をＬとしたとき、
０．１５＜Ｌ／Ａ＜０．２５
の関係を満足することを特徴とするボールペンチップ。
【請求項４】
金属筒体の先端近傍の内面にボール受け座を形成し、前記ボール受け座の前側に外径０．３ｍｍ未満のボールを収容し、前記金属筒体の先細状先端部を円周状に内方変形させることによってカシメ部を形成し、前記ボール受け座と前記カシメ部との間でボールを回転可能に抱持させるとともに前記カシメ部の先端より前方にボールの一部を突出させてなるボールペンチップであって、
前記ボールの外径をＡ、前記カシメ部の内径をＨとしたとき、
０．０１０ｍｍ＜Ａ−Ｈ＜０．０３５ｍｍ
の関係を満足することを特徴とするボールペンチップ。
【請求項５】
前記ボール受け座の中心に描いた仮想内接円の直径をＢとしたとき、
Ｂ／Ａ＜０．４
の関係を満足する請求項１、２、３または４記載のボールペンチップ。
【請求項６】
金属筒体の先細状先端部の後方に直円筒状部を備え、前記直円筒状部の外径Ｄが０．５ｍｍ未満である請求項１、２、３、４または５記載のボールペンチップ。
【請求項７】
前記ボールの外径Ａが、０．１５ｍｍ〜０．２９ｍｍであり、前記直円筒状部の外径Ｄが０．３０ｍｍ〜０．４９ｍｍである請求項６記載のボールペンチップ。
【請求項８】
前記ボールの外径Ａが、０．２５ｍｍ〜０．２８ｍｍであり、前記直円筒状部の外径Ｄが０．４０ｍｍ〜０．４８ｍｍである請求項７記載のボールペンチップ。
【請求項９】
金属筒体の先端近傍の側壁を内方へ押圧変形させることにより、金属筒体の先端近傍の内面にボール受け座を形成した請求項１、２、３、４、５、６、７または８記載のボールペンチップ。
【請求項１０】
金属筒体の先端近傍の内面を切削加工することにより、金属筒体の先端近傍の内面にボール受け座を形成した請求項１、２、３、４、５、６、７または８記載のボールペンチップ。
【発明の詳細な説明】
【技術分野】
【０００１】
本発明は、極小ボール（即ち外径０．３ｍｍ未満のボール）を備えたボールペンチップに関する。
【背景技術】
【０００２】
従来、この種のボールペンチップにおいて、特許文献１の請求項３には、金属細管の一端の近傍部においてこの一端から等距離にある複数箇所を内方に押圧変形して内方突起を形成したホルダーと、前記内方突起と前記一端との間に挿入される直径０．３ｍｍ未満のボールとを備えるとともに、前記一端の辺縁を内側にカシメ加工することによりカシメ部を形成したボールペンチップであって、前記ボールの直径をＤ、前記内方突起の内接円の直径をＦ、前記ボールの前記カシメ部の先端からの出寸法をＧ及びこのカシメ部の内径をＨとしたときに、
０．４≦Ｆ／Ｄ≦０．６、
Ｇ／Ｄ≧０．２５
かつ
０．００５ｍｍ≦Ｄ−Ｈ≦０．０１０ｍｍ
なる関係を満たすことを特徴とするボールペンチップが開示されている。
【０００３】
【特許文献１】特開２００３−２５１９７９号公報
【発明の開示】
【発明が解決しようとする課題】
【０００４】
一般に、極小ボール（即ち外径０．３ｍｍ未満のボール）を備えたボールペンチップの場合、図５に示すように、筆記時、ボールが紙面に埋没すると同時に、ほとんどの場合、カシメ部もかなりの部分が紙面に埋没する。特に、筆記圧が大きい場合には、前記ボール及びカシメ部の紙面への埋没量は著しい。そのため、極小ボールを備えたボールペンチップは、筆記時、前記カシメ部が紙面と接触することにより次第に摩耗し、短期間でボールが外部へ脱落するおそれがある。
【０００５】
前記特許文献１のボールペンチップは、筆記時の引っかかり感を無くすことを重視し、カシメ部のカシメ変形量を比較的小さく抑え、かつ、ボール外径に対するボール出寸法の比を一般的なボール（例えば外径０．５ｍｍボール）と同様に比較的大きく設定した構成となっている。その結果、前記特許文献１のボールペンチップは、ボールの脱落を長期にわたり防止することが困難である。
【０００６】
また、前記特許文献１のボールペンチップは、ボール受け座の内方突出量が比較的小さく設定されているため、ボール受け座の摩耗を十分に防止することが困難である。そのため、筆記によりボール受け座が大きく摩耗し、カシメ部とボールとの隙間が大きくなる。それにより、筆記時、カシメ部の先端内周縁が紙面を引っかき、良好な筆記感が得られないばかりか、紙面の繊維くず等の異物がボール抱持部内に混入する不具合（即ち紙詰まり）が生じ、インキ流出性及びボールの円滑な回転が阻害され、筆跡途切れが生じたり、あるいはボールペン本体内に充填インキを残したまま筆記不能となるおそれがあった。
【０００７】
本発明は前記問題点を解決するものであって、極小ボールを備えたにもかかわらず、ボールの脱落を長期にわたり防止できるとともに筆跡途切れのない十分な筆記性能を有するボールペンチップを提供すること、極小ボールを備えたにもかかわらず、筆跡途切れのない十分な筆記性能を有するボールペンチップを提供すること、及び極小ボールを備えたにもかかわらず、ボールの脱落を長期にわたり防止できるボールペンチップを提供することを目的とする。
【課題を解決するための手段】
【０００８】
本発明者らは、前記課題を解決するために、以下のａ．ｂ．の点に着目した。
ａ．極小ボールを備えたボールペンチップ（特に、極小ボールを備えたニードルタイプのボールペンチップ）の先端は尖鋭となり、図５に示すように、通常の筆記圧では、ボール出寸法にかかわらず、カシメ部を有する先細状先端部が常に紙面に深く埋没し、紙面が一時的に凹んだ状態となる。そのため、前記ボール出寸法をある程度小さく設定しても、前記一時的に凹んだ紙面とボールが十分に接触し、筆跡途切れのない十分な筆記性能が得られる。
ｂ．極小ボールを備えたボールペンの場合、細部への書き込み（例えば手帳や印刷書類等への部分的な書き込み）が主な使用形態であるため、一般的な外径のボール（例えば外径０．５ｍｍのボール）を備えたボールペンのような円滑な筆記感は要求されない。
本発明者らは、以上の点に着目し、鋭意研究を重ねた結果、本発明を完成させるに至った。
【０００９】
〔１〕本願の第１の発明は、金属筒体２の先端近傍の内面にボール受け座３を形成し、前記ボール受け座３の前側に外径０．３ｍｍ未満のボール５を収容し、前記金属筒体２の先細状先端部２１を円周状に内方変形させることによってカシメ部４を形成し、前記ボール受け座３と前記カシメ部４との間でボール５を回転可能に抱持させるとともに前記カシメ部４の先端より前方にボール５の一部を突出させてなるボールペンチップ１であって、
前記ボール５の外径をＡ、前記カシメ部４の内径をＨ、前記ボール５のカシメ部４の先端からの出寸法をＬとしたとき、
０．０１０ｍｍ＜Ａ−Ｈ＜０．０３５ｍｍ
かつ  
０．１５＜Ｌ／Ａ＜０．３０
の関係を満足すること（請求項１）を特徴とする。
【００１０】
前記請求項１のボールペンチップ１は、ボール５の外径Ａが０．３ｍｍ（ミリメートル）未満の場合に、ボール外径Ａとカシメ部４の内径Ｈとの差Ａ−Ｈの値を０．０１０ｍｍ（ミリメートル）より大きくしたこと（即ち、０．０１０ｍｍ＜Ａ−Ｈ）により、長期にわたりボール脱落防止がなされる。なぜなら、もし、ボール外径Ａとカシメ部４の内径Ｈとの差Ａ−Ｈの値が０．０１０ｍｍ以下の場合（即ち、Ａ−Ｈ≦０．０１０ｍｍの場合）、カシメ変形量が小さくなり、筆記使用する条件によっては使用開始から短期間でボール脱落が生じるおそれがあるからである。
【００１１】
また、前記請求項１のボールペンチップ１は、ボール５の外径Ａが０．３ｍｍ未満の場合に、ボール出寸法Ｌのボール外径Ａに対する比Ｌ／Ａの値を０．１５より大きく設定したこと（即ち、０．１５＜Ｌ／Ａ）により、筆記時、通常の筆記圧でボール５と紙面９との接触状態が維持されるとともにボール５の適正な回転が維持され、筆跡途切れが生じるおそれがない。なぜなら、もし、ボール出寸法Ｌのボール外径Ａに対する比Ｌ／Ａの値が０．１５以下（即ち、Ｌ／Ａ≦０．１５）の場合、紙面９に対して傾斜させて筆記した際に、ボール５が紙面９から離れて筆跡途切れを生じさせるおそれがあるからである。
【００１２】
また、前記請求項１のボールペンチップ１は、ボール外径Ａとカシメ部４の内径Ｈの差Ａ−Ｈの値を０．０３５ｍｍ（ミリメートル）より小さくしたこと（即ち、Ａ−Ｈ＜０．０３５ｍｍ）により、前記「０．１５＜Ｌ／Ａ」の関係を容易に満足させることができ、筆跡途切れを回避することに有利となる。なぜなら、もし、前記Ａ−Ｈの値が０．０３５ｍｍ以上の場合、カシメ部の内方へのカシメ変形量が大きくなり、十分なボール出寸法Ｌを得ることが困難となるからである。
【００１３】
また、前記請求項１のボールペンは、ボール出寸法Ｌのボール外径Ａに対する比Ｌ／Ａの値を０．３０より小さく設定したこと（即ち、Ｌ／Ａ＜０．３０）により、カシメ部４とボール５との隙間を確保でき、筆記に際して十分なインキ流出性が得られる。なぜなら、もし、ボール出寸法Ｌのボール外径Ａに対する比Ｌ／Ａの値が０．３０以上（即ち、０．３０≦Ｌ／Ａ）の場合、前記ボール脱落を防止できる十分なカシメ変形量を得るための要件「０．０１０ｍｍ≦Ａ−Ｈ」の関係を満足させようとすると、カシメ部４とボール５との隙間が小さくなりがちであり、その結果、筆記の際にインキ流出不足により筆跡途切れが生じるおそれがあるからである。
【００１４】
〔２〕前記請求項１のボールペンチップ１において、
０．０１０ｍｍ＜Ａ−Ｈ＜０．０３０ｍｍ
かつ  
０．１５＜Ｌ／Ａ＜０．２５
であること（請求項２）が好ましい。
【００１５】
前記請求項２のボールペンチップ１は、ボール外径Ａとカシメ部４の内径Ｈの差Ａ−Ｈの値を０．０３０ｍｍより小さくしたこと（即ち、Ａ−Ｈ＜０．０３０ｍｍ）により、より一層、前記「０．１５＜Ｌ／Ａ」の関係を容易に満足させることができ、筆跡途切れを回避することに有利となる。また、ボール出寸法Ｌのボール外径Ａに対する比Ｌ／Ａの値を０．２５より小さく設定したこと（即ち、Ｌ／Ａ＜０．２５）により、ボールを適正に抱持するためのカシメ部のカシメ変形量の設定が容易となり、より一層、カシメ部４とボール５との隙間を確保でき、筆記に際して十分なインキ流出性が得られる。
【００１６】
〔３〕本願の第２の発明は、金属筒体２の先端近傍の内面にボール受け座３を形成し、前記ボール受け座３の前側に外径０．３ｍｍ未満のボール５を収容し、前記金属筒体２の先細状先端部２１を円周状に内方変形させることによってカシメ部４を形成し、前記ボール受け座３と前記カシメ部４との間でボール５を回転可能に抱持させるとともに前記カシメ部４の先端より前方にボール５の一部を突出させてなるボールペンチップ１であって、
前記ボール５の外径をＡ、前記ボール５のカシメ部４の先端からの出寸法をＬとしたとき、
０．１５＜Ｌ／Ａ＜０．２５
の関係を満足すること（請求項３）を特徴とする。
【００１７】
前記請求項３のボールペンチップ１は、ボール５の外径Ａが０．３ｍｍ未満の場合に、ボール出寸法Ｌのボール外径Ａに対する比Ｌ／Ａの値を０．１５より大きく設定したこと（即ち、０．１５＜Ｌ／Ａ）により、筆記時、通常の筆記圧でボール５と紙面９との接触状態が維持されるとともにボール５の適正な回転が維持され、それにより、筆跡途切れが生じるおそれがない。なぜなら、もし、ボール出寸法Ｌのボール外径Ａに対する比Ｌ／Ａの値が０．１５以下（即ち、Ｌ／Ａ≦０．１５）の場合、紙面９に対して傾斜させて筆記した際に、ボール５が紙面９から離れて筆跡途切れを生じさせるおそれがあるからである。
【００１８】
また、前記請求項３のボールペンチップ１は、ボール５の外径Ａが０．３ｍｍ未満の場合に、ボール出寸法Ｌのボール外径Ａに対する比Ｌ／Ａの値を０．２５より小さく設定したこと（即ち、Ｌ／Ａ＜０．２５）により、ボールを適正に抱持するためのカシメ部のカシメ変形量の設定が容易となり、より一層、カシメ部４とボール５との隙間を確保でき、筆記に際して十分なインキ流出性が得られる。
【００１９】
〔４〕本願の第３の発明は、金属筒体２の先端近傍の内面にボール受け座３を形成し、前記ボール受け座３の前側に外径０．３ｍｍ未満のボール５を収容し、前記金属筒体２の先細状先端部２１を円周状に内方変形させることによってカシメ部４を形成し、前記ボール受け座３と前記カシメ部４との間でボール５を回転可能に抱持させるとともに前記カシメ部４の先端より前方にボール５の一部を突出させてなるボールペンチップ１であって、
前記ボール５の外径をＡ、前記カシメ部４の内径をＨとしたとき、
０．０１０ｍｍ＜Ａ−Ｈ＜０．０３５ｍｍ
の関係を満足すること（請求項４）を特徴とする。
【００２０】
前記請求項４のボールペンチップ１は、ボール５の外径Ａが０．３ｍｍ未満の場合に、ボール外径Ａとカシメ部４の内径Ｈとの差Ａ−Ｈの値を０．０１０ｍｍより大きくしたこと（即ち、０．０１０ｍｍ＜Ａ−Ｈ）により、長期にわたりボール脱落の防止がなされる。なぜなら、もし、ボール外径Ａとカシメ部４の内径Ｈとの差Ａ−Ｈの値が０．０１０ｍｍ以下の場合（即ち、Ａ−Ｈ≦０．０１０ｍｍの場合）、カシメ部のカシメ変形量が小さくなり、筆記使用する条件によっては使用開始から短期間でボール脱落が生じるおそれがあるからである。
【００２１】
また、前記請求項４のボールペンチップ１は、ボール５の外径Ａが０．３ｍｍ未満の場合に、ボール外径Ａとカシメ部４の内径Ｈの差Ａ−Ｈの値を０．０３５ｍｍより小さくしたこと（即ち、Ａ−Ｈ＜０．０３５ｍｍ）により、紙面９に対して傾けて筆記しても筆跡途切れがないようなボール出寸法Ｌを設定することが容易となる。もし、Ａ−Ｈの値が０．０３５ｍｍ以上（即ち０．０３５ｍｍ≦Ａ−Ｈ）の場合、カシメ部のカシメ変形量が大きくなり、ボール出寸法Ｌの設定の自由度が減少し、紙面９に対して傾けて筆記しても筆跡途切れが生じないようにボール出寸法Ｌを設定することが困難となる。前記Ａ−Ｈの値は、０．０３０ｍｍより小さいこと（即ち、Ａ−Ｈ＜０．０３０ｍｍ）が、より一層、紙面９に対して傾けて筆記しても筆跡途切れがないようなボール出寸法Ｌを設定することが容易となる点で好ましい。
【００２２】
〔５〕前記請求項１乃至４のボールペンチップ１において、前記ボール受け座３の中心に描いた仮想内接円の直径をＢとしたとき、
Ｂ／Ａ＜０．４
の関係を満足すること（請求項５）を特徴とする。
【００２３】
前記ボール受け座３の中心に描いた仮想内接円の直径Ｂ（以降、ボール受け座の内径Ｂという）のボールの外径Ａに対する比Ｂ／Ａの値を、０．４より小さく設定したこと（即ち、Ｂ／Ａ＜０．４）により、ボール受け座の摩耗を十分に抑えることができる。それにより、紙詰まりによって生じる筆記不良（筆跡途切れや筆記不能）を回避し、円滑なインキ流出性及び良好な筆記感が長期にわたり得られる。尚、前記Ｂ／Ａの値は、０．２５より大きいこと（即ち、０．２５＜Ｂ／Ａ）が好ましい。もし、Ｂ／Ａの値が、０．２５以下であると、ボール受け座３の内径Ｂが極めて小さくなるため、ボール受け座３の形成が製造上困難となる。前記Ｂ／Ａの値は、さらに好ましくは、０．３より大きいこと（即ち、０．３＜Ｂ／Ａ）が有効である。
【００２４】
〔６〕前記請求項１乃至５のボールペンチップ１において、金属筒体２の先細状先端部２１の後方に直円筒状部２２を備え、前記直円筒状部２２の外径Ｄが０．５ｍｍ未満（即ち、Ｄ＜０．５ｍｍ）であること（請求項６）が好ましい。
【００２５】
前記直円筒状部２２の外径Ｄが０．５ｍｍ（ミリメートル）未満である場合、図５に示すように、ボールペンチップ１の先端部がニードル状に尖鋭となり、一層、筆記時にカシメ部４が紙面９に埋没しやすく、紙面９との接触によるカシメ部４の摩耗により、使用開始から短期間でボール脱落が発生するおそれがある。しかし、請求項６のボールペンチップ１は、前記請求項１乃至５の構成が有効に作用して、長期にわたりボール脱落を十分に防止することができる。即ち、請求項６により、長期にわたりボール脱落を防止することができるニードルタイプの極小ボールを備えたボールペンチップ１を得る。尚、前記直円筒状部２２は、先細状先端部２１の後端より後方に連設され、少なくとも先細状先端部２１の後端からボール受け座３近傍まで形成される。勿論、前記直円筒状部２２は、先細状先端部２１の後端から金属筒体２の後端まで形成されてもよい。前記直円筒状部２２により、先端がニードル形状のボールペンチップを得る。
【００２６】
〔７〕前記請求項６のボールペンチップ１において、前記ボール５の外径Ａが、０．１５ｍｍ〜０．２９ｍｍであり、前記直円筒状部２２の外径Ｄが０．３０ｍｍ〜０．４９ｍｍであること（請求項７）が好ましい。
【００２７】
〔８〕前記請求項７のボールペンチップ１において、前記ボール５の外径Ａが、０．２５ｍｍ〜０．２８ｍｍであり、前記直円筒状部２２の外径Ｄが０．４０ｍｍ〜０．４８ｍｍであること（請求項８）が好ましい。
【００２８】
〔９〕前記請求項１乃至８のボールペンチップ１において、金属筒体２の先端近傍の側壁を内方へ押圧変形させることにより、金属筒体２の先端近傍の内面にボール受け座３を形成したこと（請求項９）が好ましい。それにより、極小ボールを備えたニードルタイプのボールペンチップが容易に得られる。
【００２９】
〔１０〕前記請求項１乃至８のボールペンチップ１において、金属筒体２の先端近傍の内面を切削加工することにより、金属筒体２の先端近傍の内面にボール受け座３を形成したこと（請求項１０）が好ましい。それにより、極小ボールを備えた切削タイプのボールペンチップが容易に得られる。
【００３０】
尚、本発明で、前記ボール５の外径Ａとは、ボール５の直径である。本発明で、前記ボール出寸法Ｌとは、ボール５がボール受け座３に当接した状態において、ボール５がカシメ部４の先端より軸方向前方に突出する長さである。本発明で、前記カシメ部４の内径Ｈとは、カシメ部４の内面の径方向内方に円周状に最も突出した部分の内径である。
【発明の効果】
【００３１】
請求項１により、極小ボールを備えたにもかかわらず、ボールの脱落を長期にわたり防止できるとともに、筆跡途切れのない十分な筆記性能を有するボールペンチップが得られる。
【００３２】
請求項２により、極小ボールを備えたにもかかわらず、ボールの脱落を長期にわたり防止できるとともに、より一層、筆跡途切れのない十分な筆記性能を有するボールペンチップが得られる。
【００３３】
請求項３により、極小ボールを備えたにもかかわらず、筆跡途切れのない十分な筆記性能を有するボールペンチップが得られる。
【００３４】
請求項４により、極小ボールを備えたにもかかわらず、ボールの脱落を長期にわたり防止できるボールペンチップが得られる。
【００３５】
請求項５により、ボール受け座の摩耗を十分に抑えることができ、紙詰まりによって生じる筆記不良を回避し、円滑なインキ流出性及び良好な筆記感を長期にわたり得る。
【００３６】
請求項６により、前記請求項１乃至５の効果を有するニードルタイプのボールペンチップが得られる。
【００３７】
請求項７により、前記請求項１乃至５の効果を有するニードルタイプのボールペンチップが確実に得られる。
【００３８】
請求項８により、前記請求項１乃至５の効果を有するニードルタイプのボールペンチップが一層確実に得られる。
【００３９】
請求項９により、極小ボールを備えたニードルタイプのボールペンチップが容易に得られる。
【００４０】
請求項１０により、極小ボールを備えた切削タイプのボールペンチップが容易に得られる。
【発明を実施するための最良の形態】
【００４１】
本発明を実施するための最良の形態を説明する。
【００４２】
本発明の実施の形態のボールペンチップ１は、金属筒体２と、該金属筒体２の先端近傍の内面に形成したボール受け座３と、前記金属筒体２の先細状先端部２１の先端を円周状に内方変形させることによって形成したカシメ部４と、前記ボール受け座３と前記カシメ部４との間で回転可能に抱持されるボール５とからなる。
【００４３】
前記金属筒体２は、ステンレス鋼（例えば、ＳＵＳ３０４、ＳＵＳ３０５、ＳＵＳ３２１等のオーステナイト系ステンレス鋼）の円筒体よりなる。
【００４４】
前記ボール受け座３は、例えば、金属筒体２の先端近傍の側壁を内方へ押圧変形（ポンチ加工）すること、金属筒体２の先端近傍の内面を切削加工すること、または前記押圧変形と前記切削加工の組み合わせにより得られる。
【００４５】
前記ボール受け座３の前側にはボール５が挿入され、その後、金属筒体２の先細状先端部２１の先端を円周状に内方へ押圧変形（カシメ加工）することによりカシメ部４が形成される。それにより、前記カシメ部４と前記ボール受け座３との間でボール５が回転可能に抱持される。前記カシメ部４の内径Ｈは、ボール外径Ａよりも小さく設定される。
【００４６】
前記ボール５は、外径Ａが０．３ｍｍ未満の極小ボールが適用される。本発明では、前記ボール５の外径Ａは、０．３ｍｍ未満であればよいが、好ましくは、０．１５ｍｍ〜０．２９ｍｍの範囲、さらに好ましくは、０．２０ｍｍ〜０．２９ｍｍの範囲、より好ましくは、０．２５ｍｍ〜０．２８ｍｍの範囲が有効である。
【００４７】
前記カシメ部４の内径Ｈと前記ボール外径Ａとの差Ａ−Ｈの値は、０．０１０ｍｍより大きく且つ０．０３５ｍｍより小さい値に設定される（即ち、０．０１０ｍｍ＜Ａ−Ｈ＜０．０３５ｍｍ）。好ましくは、前記Ａ−Ｈの値は、０．０１０ｍｍより大きく且つ０．０３０ｍｍより小さい値に設定される（即ち、０．０１０ｍｍ＜Ａ−Ｈ＜０．０３０ｍｍ）。
【００４８】
前記ボール出寸法Ｌの前記ボール外径Ａに対する比Ｌ／Ａの値は、０．１５より大きく且つ０．３０より小さい値に設定される（即ち、０．１５＜Ｌ／Ａ＜０．３０）。好ましくは、前記Ｌ／Ａの値は、０．１５より大きく且つ０．２５より小さい値に設定される（即ち、０．１５＜Ｌ／Ａ＜０．２５）。
【００４９】
前記ボール受け座３の内径Ｂの前記ボール外径Ａに対する比Ｂ／Ａの値は、０．２５より大きく設定され且つ０．４より小さく設定される（即ち、０．２５＜Ｂ／Ａ＜０．４）。好ましくは、前記Ｂ／Ａの値は、０．３より大きく設定され且つ０．４より小さく設定される（即ち、０．３＜Ｂ／Ａ＜０．４）。
【００５０】
前記ボールペンチップ１は、金属筒体２の先細状先端部２１の後方に直円筒状部２２が連設されたニードルタイプが好ましい。本発明では、前記直円筒状部２２の外径Ｄが０．５ｍｍ未満、具体的には、前記直円筒状部２２の外径Ｄが０．３０ｍｍ〜０．４９ｍｍの範囲であること、好ましくは、前記直円筒状部２２の外径Ｄが０．４０ｍｍ〜０．４８ｍｍの範囲であること、さらに好ましくは、前記直円筒状部２２の外径Ｄが０．４５ｍｍ〜０．４８ｍｍの範囲であることが有効である。
【実施例】
【００５１】
本発明の実施例を図面に従って説明する。
【００５２】
〔第１実施例〕
図１に本発明の第１実施例のボールペンチップ１を示す。本実施例のボールペンチップ１は、ＳＵＳ３２１よりなる直円筒状の金属筒体２と、該金属筒体２の先端近傍の内面に内方への押圧変形（ポンチ加工）によって形成した複数（ここでは３個）の内方突起よりなるボール受け座３と、前記金属筒体２の先細状先端部２１の先端を円周状に内方変形させることによって形成したカシメ部４と、前記ボール受け座３と前記カシメ部４との間で回転可能に抱持されるボール５とからなる。
【００５３】
前記ボール５は、外径Ａが０．２５ｍｍと０．２８ｍｍの２種類が採用される。前記金属筒体２は、ボール受け座３の前方に位置する先細状先端部２１後端から金属筒体２の後端まで外径がほぼ一定の直円筒状部２２が形成され、ニードル形状となる。前記ボール５の外径Ａが０．２５ｍｍの場合、前記直円筒状部２２の外径Ｄは、０．４５ｍｍに設定され、ボール５の外径Ａが０．２８ｍｍの場合、前記直円筒状部２２の外径Ｄは、０．４８ｍｍに設定される。
【００５４】
図２に、前記図１の実施例のボールペンチップ１を適用したボールペン６の例を示す。前記ボールペン６は、軸筒７と、該軸筒７内に収容されるボールペンレフィル８とからなる。
【００５５】
（軸筒）
前記軸筒７は、金属製の先軸７１と、合成樹脂製の後軸７２と、合成樹脂製の尾栓７３とからなる。
【００５６】
（先軸）
前記先軸７１は、金属材料（例えば真鍮）の切削加工により得られる。前記先軸７１の先端部は、外周面が、切削加工により先細状に形成される。また、前記先軸７１の先端には、切削加工により、ストレート状の先端孔が貫設され、前記先端孔の後方の先軸７１の内面には、切削加工により、テーパ状内面が形成され、さらに、前記テーパ状内面の後方の先軸７１内面には、切削加工により、雌ネジ部が形成される。
【００５７】
（後軸）
前記後軸７２は合成樹脂の射出成形により得られる。前記後軸７２の先端部外周面に、雄ネジ部が形成され、前記雄ネジ部と、前記先軸７１の雌ネジ部が着脱自在に螺合される。また、前記後軸７２の後端開口部には、尾栓７３が圧入固着される。
【００５８】
（ボールペンレフィル）
前記ボールペンレフィル８は、前記図１のボールペンチップ１と、該ボールペンチップ１が先端部に固着された合成樹脂製のホルダー８２と、該ホルダー８２の先端部に固着され且つボールペンチップ１の外周面を支持する支持筒８３と、前記ホルダー８２が先端開口部に固着され且つ後端が開口されたインキ収容管８１とからなる。
【００５９】
（インキ収容管）
前記インキ収容管８１は、合成樹脂（例えばポリプロピレン）の押出成形により得られる。前記インキ収容管８１の内部には、インキ８１ａ（例えば水性ゲルインキ）と、該インキ８１ａの後端に配置され、該インキ８１ａの消費に伴って前進する追従体８１ｂ（例えば高粘度流体）とが充填されている。
【００６０】
（ホルダー）
前記ホルダー８２は、合成樹脂（例えばポリプロピレン）の射出成形により得られる。前記ホルダー８２は、筒状前部と、該筒状前部の後方に連設される鍔部と、該鍔部の後方に連設される筒状後部とが一体に形成されてなる。前記筒状前部には、ボールペンチップ１が圧入固着される。前記鍔部は、インキ収容管８１の先端面、後軸７２の先端面、及び先軸７１のテーパ状内面と当接される。前記筒状後部は、インキ収容管８１の先端開口部に圧入固着される。
【００６１】
（支持筒）
前記ホルダー８２の筒状前部の外周面には、金属製の支持筒８３が固着される。前記支持筒８３は、前記ボールペンチップ１の先端部後方の外周面を支持し、筆記時のボールペンチップ１のぐらつきを防止する。
【００６２】
（試験結果）
表１及び表２に、図２に示すボールペン６にて行ったボール脱落試験及び筆跡途切れ試験の結果を示す。
【００６３】
表１は、ボール外径Ａが０．２５ｍｍの図１に示す構造のボールペンチップ１において、Ａ−Ｈの値とＬ／Ａの値の組み合わせが異なるサンプルを各５本ずつ用意し、それらを図２に示すボールペン６に適用して試験した結果を示す。表２は、ボール外径Ａが０．２８ｍｍの図１に示す構造のボールペンチップ１において、Ａ−Ｈの値とＬ／Ａの値の組み合わせが異なるサンプルを各５本ずつ用意し、それらを図２に示すボールペン６に適用して試験した結果を示す。
【００６４】
【表１】
2006076278.tif 000003
【００６５】
【表２】
2006076278.tif 000004
【００６６】
（ボール脱落試験）
前記ボール脱落試験は、筆記角度（即ち、紙面９とボールペンチップ１の軸線とのなす角度）が５０度、筆記荷重１５０ｇ（グラム）で走行筆記試験機によって自転させながら４ｍ／分でジクザク走行させて行った。また、筆記用紙は、硬質塩化ビニル樹脂製板よりなる下敷きの上に５枚重ねてセットされた。ボール脱落の確認は、筆記距離２００ｍ毎にボールペンチップ１先端を粘着テープの粘着面に当接させ、ボール脱落の有無を調べた。前記ボール脱落試験の結果の評価は、筆記距離１０００ｍまでに、ボール脱落が見られない場合は「○」とし、ボール脱落が見られた場合は「×」とした。尚、筆跡途切れ試験で、「×」のものは、ボール脱落試験を行っていないため、「−」を記載した。
【００６７】
（筆跡途切れ試験）
前記筆跡途切れ試験は、前記用意したボールペン６を、検査員３名の手書きにより確認した。前記筆跡途切れ試験の結果の評価は、筆跡途切れが生じない場合は「○」、筆記角度を極端に小さくしなければ筆跡途切れが生じない場合は「△」、筆跡途切れが頻繁に生じる場合は「×」とした。
【００６８】
図３は、表１の結果をグラフに表したものであり、縦軸にＬ／Ａをとり、横軸にＡ−Ｈをとり、表１の実施例１〜実施例３及び比較例１〜比較例５におけるＬ／Ａの値とＡ−Ｈの値を、黒丸「●」によりプロットした。前記プロット「●」の下の（  ）内は、そのプロットに対応したボール脱落試験結果及び筆跡途切れ試験結果を示し、左側がボール脱落試験結果、右側が筆跡途切れ試験結果を示す。この図３のグラフから、Ａ−Ｈの値が０．０１０ｍｍより大きいとき（即ち、０．０１０ｍｍ＜Ａ−Ｈの場合）、ボール脱落が生じないことが判る。また、この図３のグラフから、Ｌ／Ａの値が０．１５より大きいとき（即ち、０．１５＜Ｌ／Ａの場合）に、筆跡途切れがほとんど生じないことが判る。
【００６９】
図４は、表２の結果をグラフに表したものであり、縦軸にＬ／Ａをとり、横軸にＡ−Ｈをとり、表２の実施例１〜実施例５及び比較例１〜比較例３におけるＬ／Ａの値とＡ−Ｈの値を、黒丸「●」によりプロットした。プロット「●」の下の（  ）内は、そのプロットに対応したボール脱落試験結果及び筆跡途切れ試験結果を示し、左側がボール脱落試験結果、右側が筆跡途切れ試験結果を示す。この図４のグラフから、Ａ−Ｈの値が０．０１０ｍｍより大きいとき（即ち、０．０１０ｍｍ＜Ａ−Ｈの場合）、ボール脱落が生じないことが判る。また、この図４のグラフから、Ｌ／Ａの値が０．１５より大きいとき（即ち、０．１５＜Ｌ／Ａの場合）に、筆跡途切れがほとんど生じないことが判る。
【００７０】
表３及び表４に、図２に示すボールペン６にて行った書き切り試験結果を示す。
【００７１】
表３は、ボール外径Ａが０．２５ｍｍの図１に示す構造のボールペンチップ１において、Ｂ／Ａの値が異なるサンプルを各５本ずつ用意し、それらを図２に示すボールペン６に適用して試験した結果を示す。
【００７２】
表４は、ボール外径Ａが０．２８ｍｍの図１に示す構造のボールペンチップ１において、Ｂ／Ａの値が異なるサンプルを各５本ずつ用意し、それらを図２に示すボールペン６に適用して試験した結果を示す。
【００７３】
【表３】
2006076278.tif 000005
【００７４】
【表４】
2006076278.tif 000006
【００７５】
（書き切り試験）
前記書き切り試験は、インキ収容管８１の内部に充填されるインキ８１ａが充填量０．４ｇの水性ゲルインキである、図２に示すボールペン６を用い、螺旋状に筆記する筆記試験機（筆記角度７０度、筆記荷重１００ｇ、筆記速度４ｍ／分）にて行った。表３及び表４のボール受け座の摩耗は、前記筆記試験機で７００ｍ筆記後において測定した。尚、表３及び表４のボール受け座の摩耗の値は、各５本の平均値である。また、表３及び表４の書き切り不良とは、充填インキを最後まで消費することができないものを言い、表３及び表４に示す数値は、各５本中の書き切り不良の発生本数を表す。
【００７６】
表３及び表４の結果に示すとおり、ボール受け座の摩耗が大きいもの（表３の比較例１と比較例２、表４の比較例１と比較例２）は、紙詰まり等により書き切り不良が生じたり、筆跡途切れが生じた。一方、ボール受け座の摩耗が小さいもの（表３の実施例１、表４の実施例１）は、書き不良が生じず、充填インキを最後まで消費できた。
【００７７】
〔第２実施例〕
図６に本発明の第２実施例のボールペンチップ１を示す。本実施例のボールペンチップ１は、先細状先端部２１を備えた円筒状のＳＵＳ３０４製の金属筒体２と、該金属筒体２の先端近傍の内面に切削加工によって形成したボール受け座３と、前記金属筒体２の先細状先端部２１の先端を円周状に内方変形させることによって形成したカシメ部４と、前記ボール受け座３と前記カシメ部４との間で回転可能に抱持されるボール５とからなる。
【００７８】
前記先細状先端部２１は、金属筒体２の先端部外面に、前記カシメ部４から前記ボール受け座３を越えて後方に延びるように形成される。前記ボール受け座３には、中心孔３１と、該中心孔３１に放射状に連通する複数（ここでは３本）のインキ誘導溝３２とが、軸方向に貫設される。前記ボール５は、外径Ａが０．２５ｍｍと０．２８ｍｍの２種類が採用される。
【００７９】
図７に、前記図６の実施例のボールペンチップ１を適用したボールペン６の例を示す。前記ボールペン６は、軸筒７と、該軸筒７内に収容されるボールペンレフィル８とからなる。
【００８０】
（軸筒）
前記軸筒７は、金属製の先軸７１と、合成樹脂製の後軸７２と、合成樹脂製の尾栓７３とからなる。
【００８１】
（先軸）
前記先軸７１は、金属材料（例えば真鍮）の切削加工により得られる。前記先軸７１の先端部は、外周面が、切削加工により先細状に形成される。また、前記先軸７１の先端には、切削加工により、ストレート状の先端孔が貫設され、前記先端孔の後方の先軸７１の内面には、切削加工により、テーパ状内面が形成され、さらに、前記テーパ状内面の後方の先軸７１内面には、切削加工により、雌ネジ部が形成される。
【００８２】
（後軸）
前記後軸７２は合成樹脂の射出成形により得られる。前記後軸７２の先端部外周面に、雄ネジ部が形成され、前記雄ネジ部と、前記先軸７１の雌ネジ部が着脱自在に螺合される。また、前記後軸７２の後端開口部には、尾栓７３が圧入固着される。
【００８３】
（ボールペンレフィル）
前記ボールペンレフィル８は、前記図６のボールペンチップ１と、該ボールペンチップ１が先端部に固着された合成樹脂製のホルダー８２と、該ホルダー８２が先端開口部に固着され且つ後端が開口されたインキ収容管８１とからなる。
【００８４】
（インキ収容管）
前記インキ収容管８１は、合成樹脂（例えばポリプロピレン）の押出成形により得られる。前記インキ収容管８１の内部には、インキ８１ａ（例えば水性ゲルインキ）と、該インキ８１ａの後端に配置され、該インキ８１ａの消費に伴って前進する追従体８１ｂ（例えば高粘度流体）とが充填されている。
【００８５】
（ホルダー）
前記ホルダー８２は、合成樹脂（例えばポリプロピレン）の射出成形により得られる。前記ホルダー８２は、筒状前部と、該筒状前部の後方に連設される鍔部と、該鍔部の後方に連設される筒状後部とが一体に形成されてなる。前記筒状前部には、ボールペンチップ１が圧入固着される。前記鍔部は、インキ収容管８１の先端面、後軸７２の先端面、及び先軸７１のテーパ状内面と当接される。前記筒状後部は、インキ収容管８１の先端開口部に圧入固着される。
【００８６】
（試験結果）
表５及び表６に、図７に示すボールペン６にて行ったボール脱落試験及び筆跡途切れ試験の結果を示す。
【００８７】
表５は、ボール外径Ａが０．２５ｍｍの図６に示す構造のボールペンチップ１において、Ａ−Ｈの値とＬ／Ａの値の組み合わせが異なるサンプルを各５本ずつ用意し、それらを図７に示すボールペン６に適用して試験した結果を示す。表６は、ボール外径Ａが０．２８ｍｍの図６に示す構造のボールペンチップ１において、Ａ−Ｈの値とＬ／Ａの値の組み合わせが異なるサンプルを各５本ずつ用意し、それらを図７に示すボールペン６に適用して試験した結果を示す。
【００８８】
（ボール脱落試験）
前記ボール脱落試験は、筆記角度（即ち、紙面９とボールペンチップ１の軸線とのなす角度）が５０度、筆記荷重１５０ｇ（グラム）で走行筆記試験機によって自転させながら４ｍ／分でジクザク走行させて行った。また、筆記用紙は、硬質塩化ビニル樹脂製板よりなる下敷きの上に５枚重ねてセットされた。ボール脱落の確認は、筆記距離２００ｍ毎にボールペンチップ１先端を粘着テープの粘着面に当接させ、ボール脱落の有無を調べた。前記ボール脱落試験の結果の評価は、筆記距離１０００ｍまでに、ボール脱落が見られない場合は「○」とし、ボール脱落が見られた場合は「×」とした。尚、筆跡途切れ試験で、「×」のものは、ボール脱落試験を行っていないため、「−」を記載した。
【００８９】
（筆跡途切れ試験）
前記筆跡途切れ試験は、前記用意したボールペン６を、検査員３名の手書きにより確認した。前記筆跡途切れ試験の結果の評価は、筆跡途切れが生じない場合は「○」、筆記角度を極端に小さくしなければ筆跡途切れが生じない場合は「△」、筆跡途切れが頻繁に生じる場合は「×」とした。
【００９０】
【表５】
2006076278.tif 000007
【００９１】
【表６】
2006076278.tif 000008
【００９２】
図８は、表５の結果をグラフに表したものであり、縦軸にＬ／Ａをとり、横軸にＡ−Ｈをとり、表５の実施例１〜実施例５及び比較例１におけるＬ／Ａの値とＡ−Ｈの値を、黒丸「●」によりプロットした。前記プロット「●」の下の（  ）内は、そのプロットに対応したボール脱落試験結果及び筆跡途切れ試験結果を示し、左側がボール脱落試験結果、右側が筆跡途切れ試験結果を示す。この図８のグラフから、Ａ−Ｈの値が０．０１０ｍｍより大きいとき（即ち、０．０１０ｍｍ＜Ａ−Ｈの場合）、ボール脱落が生じないことが判る。また、この図８のグラフから、Ｌ／Ａの値が０．１５より大きいとき（即ち、０．１５＜Ｌ／Ａの場合）に、筆跡途切れがほとんど生じないことが判る。
【００９３】
図９は、表６の結果をグラフに表したものであり、縦軸にＬ／Ａをとり、横軸にＡ−Ｈをとり、表６の実施例１〜実施例３及び比較例１〜比較例３におけるＬ／Ａの値とＡ−Ｈの値を、黒丸「●」によりプロットした。プロット「●」の下の（  ）内は、そのプロットに対応したボール脱落試験結果及び筆跡途切れ試験結果を示し、左側がボール脱落試験結果、右側が筆跡途切れ試験結果を示す。この図９のグラフから、Ａ−Ｈの値が０．０１０ｍｍより大きいとき（即ち、０．０１０ｍｍ＜Ａ−Ｈの場合）、ボール脱落が生じないことが判る。また、この図９のグラフから、Ｌ／Ａの値が０．１５より大きいとき（即ち、０．１５＜Ｌ／Ａの場合）に、筆跡途切れがほとんど生じないことが判る。
【００９４】
表７及び表８に、図７に示すボールペン６にて行った書き切り試験結果を示す。
【００９５】
表７は、ボール外径Ａが０．２５ｍｍの図６に示す構造のボールペンチップ１において、Ｂ／Ａの値が異なるサンプルを各５本ずつ用意し、それらを図７に示すボールペン６に適用して試験した結果を示す。
【００９６】
表８は、ボール外径Ａが０．２８ｍｍの図６に示す構造のボールペンチップ１において、Ｂ／Ａの値が異なるサンプルを各５本ずつ用意し、それらを図７に示すボールペン６に適用して試験した結果を示す。
【００９７】
【表７】
2006076278.tif 000009
【００９８】
【表８】
2006076278.tif 000010
【００９９】
（書き切り試験）
前記書き切り試験は、インキ収容管８１の内部に充填されるインキ８１ａが充填量０．４ｇの水性ゲルインキである、図７に示すボールペン６を用い、螺旋状に筆記する筆記試験機（筆記角度７０度、筆記荷重１００ｇ、筆記速度４ｍ／分）にて行った。表７及び表８のボール受け座の摩耗は、前記筆記試験機で７００ｍ筆記後において測定した。尚、表７及び表８のボール受け座の摩耗の値は、各５本の平均値である。また表７及び表８の書き切り不良とは、充填インキを最後まで消費することができないものを言い、表７及び表８に示す数値は、各５本中の書き切り不良の発生本数を表す。
【０１００】
表７及び表８の結果に示すとおり、ボール受け座の摩耗が大きいもの（表７の比較例１と比較例２、表８の比較例１と比較例２）は、紙詰まり等により書き切り不良が生じた。一方、ボール受け座の摩耗が小さいもの（表７の実施例１、表８の実施例１）は、書き切り不良が生じず、インキを最後まで消費できた。
【図面の簡単な説明】
【０１０１】
【図１】（ａ）が本発明ボールペンチップの第１実施例を示す要部拡大縦断面図であり、（ｂ）が前記（ａ）のＸ−Ｘ線断面図である。
【図２】図１のボールペンチップの適用例を示す縦断面図である。
【図３】表１の結果を示すグラフである。
【図４】表２の結果を示すグラフである。
【図５】筆記時の本発明ボールペンチップの紙面との当接状態を示す拡大図である。
【図６】（ａ）が本発明ボールペンチップの第２実施例を示す要部拡大縦断面図であり、（ｂ）が前記（ａ）のＹ−Ｙ線断面図である。
【図７】図６のボールペンチップの適用例を示す縦断面図である。
【図８】表５の結果を示すグラフである。
【図９】表６の結果を示すグラフである。
【符号の説明】
【０１０２】
１  ボールペンチップ
２  金属筒体
２１  先細状先端部
２２  直円筒状部
３  ボール受け座
３１  中心孔
３２  インキ誘導溝
４  カシメ部
５  ボール
６  ボールペン
７  軸筒
７１  先軸
７２  後軸
７３  尾栓
８  ボールペンレフィル
８１  インキ収容管
８１ａ  インキ
８１ｂ  追従体
８２  ホルダー
８３  支持筒
９  紙面
Ａ  ボールの外径
Ｂ  ボール受け座の内径
Ｌ  ボール出寸法
Ｈ  カシメ部の内径
Ｄ  直円筒状部の外径
【図１】
2006076278.tif 000011
【図２】
2006076278.tif 000012
【図３】
2006076278.tif 000013
【図４】
2006076278.tif 000014
【図５】
2006076278.tif 000015
【図６】
2006076278.tif 000016
【図７】
2006076278.tif 000017
【図８】
2006076278.tif 000018
【図９】
2006076278.tif 000019